(57)【要約】【課題】信号制御機への外部給電の作業性を高めることが可能な信号制御機、またこれに搭載された手動操作ユニットを提供すること。【解決手段】信号制御機１００は、筐体１０１の本体と、主扉１０３と、副扉１０８と、制御ユニットと、外部給電端子部１３５とを具備する。主扉１０３は、開口部１０３Ａを有し、副扉１０８は、開口部１０３Ａを開閉可能に、主扉１０３に設けられている。制御ユニットは、筐体１０１内に収容され、交通用の信号灯を制御する。外部給電端子部１３５は、外部電源に接続可能であり、開口部１０３Ａに臨むように筐体１０１内に設けられる。このように、信号制御機１００の筐体１０１内に外部給電端子部１３５が設けられることにより、外部給電の作業性を高めることができる。【選択図】図６
2015122025.tif 000002
【特許請求の範囲】
【請求項１】
筐体の本体と、
開口部を有し、前記本体に設けられた主扉と、
前記主扉に設けられ、前記開口部を開閉可能な副扉と、
前記本体内に収容され、交通用の信号灯を制御する制御ユニットと、
商用電源からの電力を前記制御ユニットに供給可能な第１の電力供給経路と、
外部電源に接続可能であり、前記開口部に臨むように前記筐体内に設けられた端子部と、
前記端子部を介して前記外部電源からの電力を前記制御ユニットに供給可能な第２の電力供給経路と
を具備する信号制御機。
【請求項２】
請求項１に記載の信号制御機であって、
前記端子部を搭載し、前記開口部に臨むように前記主扉の内側に設けられた手動操作ユニット
をさらに具備する信号制御機。
【請求項３】
請求項１または２に記載の信号制御機であって、
前記筐体内に収容され、前記第１の電力供給経路および前記第２の電力供給経路のいずれか一方を、前記制御ユニットに接続する手動切替スイッチ
をさらに具備する信号制御機。
【請求項４】
請求項１に記載の信号制御機であって、
前記開口部に臨むように前記主扉の内側に設けられ、前記第１の電力供給経路および前記第２の電力供給経路のいずれか一方を、前記制御ユニットに接続する手動切替スイッチ
をさらに具備する信号制御機。
【請求項５】
請求項４に記載の信号制御機であって、
前記端子部および前記手動切替スイッチを搭載し、前記開口部に臨むように前記主扉の内側に設けられた手動操作ユニット
をさらに具備する信号制御機。
【請求項６】
請求項１から５のうちいずれか１項に記載の信号制御機であって、
前記端子部は、規格化された端子部である
信号制御機。
【請求項７】
請求項１から６のうちいずれか１項に記載の信号制御機であって、
前記端子部は、複数設けられている
信号制御機。
【請求項８】
筐体の本体と、
開口部を有し前記本体に設けられた主扉と、
前記主扉に設けられ前記開口部を開閉可能な副扉と、
前記本体内に収容され、交通用の信号機を制御する制御ユニットと、
商用電源からの電力を前記制御ユニットに供給可能な第１の電力供給経路と、
前記外部電源からの電力を前記制御ユニットに供給可能な第２の電力供給経路とを備えた信号制御機に搭載される手動操作ユニットであって、
手動操作器と、
前記外部電源に接続可能な端子部と、
前記手動操作器および前記端子部を支持し、前記端子部が前記開口部に臨むように前記主扉の内側に設けられた支持体と
を具備する手動操作ユニット。
【請求項９】
請求項８に記載の手動操作ユニットであって、
前記支持体に支持され、前記第１の電力供給経路および前記第２の電力供給経路のいずれか一方を、前記制御ユニットに接続する手動切替スイッチ
をさらに具備する手動操作ユニット。
【発明の詳細な説明】
【技術分野】
【０００１】
本発明は、交通用の信号機を制御する信号制御機、およびこの信号制御機に外部から給電可能な外部給電ユニットに関する。
【背景技術】
【０００２】
通常、道路の交差点などに設置される交通用の信号機には、商用電源が供給される。地震などの災害による停電が発生すると、信号機が滅灯して交通に混乱をきたすおそれがある。このような事態を避けるため、幹線道路や主要な交差点には、停電時に自動的に始動して信号機への送電を開始する発動発電機が設置されていることがある。
【０００３】
また、停電時に電磁スイッチによって商用電源と制御装置との接続を遮断し、車両のバッテリーを接続して信号機を作動するためのバッテリー経路と制御装置とを接続する電源切替機構を有する信号システムが提案されている（例えば、特許文献１の明細書段落［００１７］参照。）。
【先行技術文献】
【特許文献】
【０００４】
【特許文献１】特開２０１２−２３８１４０号公報
【発明の概要】
【発明が解決しようとする課題】
【０００５】
発動発電機が設置されていない交差点では、例えば、信号機に、信号機と商用電源の配電線との切り替え部分である電源箱が設けられ、この電源箱に外部電源接続端子が内蔵されている場合がある。この場合、停電時には、信号機の場所に可搬式の発動発電機を搬送し、信号機の外部電源接続端子に接続することで、給電を行うことがある。
【０００６】
しかし、電源箱は、電源箱からの電力の供給を受けて信号機を作動させる信号制御機とは別体で設けられている。また、電源箱は、安全性の観点から、信号制御機より高い位置に設置されていることが多い。このため、外部給電を行う際の作業性が悪いという問題がある。
【０００７】
以上のような事情に鑑み、本発明の目的は、信号制御機への外部給電の作業性を高めることが可能な信号制御機、またこれに搭載された手動操作ユニットを提供することにある。
【課題を解決するための手段】
【０００８】
上記目的を達成するため、本発明の一形態に係る信号制御機は、筐体の本体と、主扉と、副扉と、制御ユニットと、第１の電力供給経路と、端子部と、第２の電力供給経路とを具備する。
前記主扉は、開口部を有し、前記本体に設けられている。
前記副扉は、前記主扉に設けられ、前記開口部を開閉可能である。
前記制御ユニットは、前記本体内に収容され、交通用の信号灯を制御する。
前記第１の電力供給経路は、商用電源からの電力を前記制御ユニットに供給可能である。
前記端子部は、外部電源に接続可能であり、前記開口部に臨むように前記筐体内に設けられている。
前記第２の電力供給経路は、前記端子部を介して前記外部電源からの電力を前記制御ユニットに供給可能である。
【０００９】
外部電源に接続可能な端子部が電源箱に設けられるのではなく、信号制御機の筐体内に設けられているので、外部給電の作業性を高めることができる。しかも、利用者は主扉に設けられた副扉を開けることにより、開口部を介して外部電源を端子部に接続することができ、外部給電中でも主扉を閉めた状態とすることができるので、筐体内の機器が外部に露出されることを防止できる。
【００１０】
前記信号制御機は、前記端子部を搭載し、前記開口部に臨むように前記主扉の内側に設けられた手動操作ユニットをさらに具備してもよい。
手動操作ユニットに端子部が搭載されているので、利用者は、信号機の手動操作時に副扉を開けた場合、開口部を介して端子部に外部電源を接続することができる。
【００１１】
前記信号制御機は、前記筐体内に収容され、前記第１の電力供給経路および前記第２の電力供給経路のいずれか一方を、前記制御ユニットに接続する手動切替スイッチをさらに具備してもよい。
利用者の手動操作により電源が切り替えられる手動切替スイッチを用いるため、電磁スイッチのような複雑な機構が不要となる。
【００１２】
前記信号制御機は、前記開口部に臨むように前記主扉の内側に設けられ、前記第１の電力供給経路および前記第２の電力供給経路のいずれか一方を、前記制御ユニットに接続する手動切替スイッチをさらに具備してもよい。
利用者は、主扉を開けずに、副扉を開けて開口部を介して手動切替スイッチを操作することができ、作業性が向上する。
【００１３】
前記信号制御機は、前記端子部および前記手動切替スイッチを搭載し、前記開口部に臨むように前記主扉の内側に設けられた手動操作ユニットをさらに具備してもよい。
手動操作ユニットに端子部および手動切替スイッチが搭載されているので、利用者は、信号機の手動操作時に副扉を開けた場合、開口部を介して、手動切替スイッチを操作し、端子部に外部電源を接続することができる。
【００１４】
前記端子部は、規格化された端子部であってもよい。
規格化された端子部であれば、例えば、外部給電機能を有する市販の装置や汎用のプラグまたはソケットを端子部に接続することができる。これにより、信号制御機への外部給電に利用できる装置の選択肢が増える。
【００１５】
前記端子部は、複数設けられていてもよい。
これにより、信号制御機に複数の外部電源を接続することが可能となり、信号制御機に複数の外部電源からの外部給電を行うことができる。
【００１６】
本発明の一形態に係る手動操作ユニットは、信号制御機に搭載される手動操作ユニットであり、前記信号制御機は、筐体の本体と、主扉と、副扉と、制御ユニットと、第１の電力供給経路と、第２の電力供給経路とを備える。
前記主扉は、開口部を有し前記本体に設けられている。
前記副扉は、前記主扉に設けられ前記開口部を開閉可能である。
前記制御ユニットは、前記本体内に収容され、交通用の信号機を制御する。
前記第１の電力供給経路は、商用電源からの電力を前記制御ユニットに供給可能である。
前記第２の電力供給経路は、前記外部電源からの電力を前記制御ユニットに供給可能である。
前記手動操作ユニットは、手動操作器と、前記外部電源に接続可能な端子部と、前記手動操作器および前記端子部を支持し、前記端子部が前記開口部に臨むように前記主扉の内側に設けられた支持体とを備える。
【００１７】
外部電源に接続可能な端子部が電源箱に設けられるのではなく、信号制御機に搭載される手動操作ユニットに設けられており、しかも、利用者は主扉に設けられた副扉を開けることにより、開口部を介して外部電源を端子部に接続することができる。これにより外部給電の作業性を高めることができる。
【００１８】
前記手動操作ユニットは、前記支持体に支持され、前記第１の電力供給経路および前記第２の電力供給経路のいずれか一方を、前記制御ユニットに接続する手動切替スイッチをさらに具備してもよい。
【発明の効果】
【００１９】
以上、本発明によれば、信号制御機への外部給電の作業性を高めることができる。
【図面の簡単な説明】
【００２０】
【図１】図１は、本発明の第１の実施形態に係る信号制御機が導入される交通用の信号機を示す図である。
【図２】図２は、信号制御機を示す正面図である。
【図３】図３は、信号制御機の主扉および副扉が開いた状態を示す正面図を示し、また、後述する給電切替ユニットを拡大して示す図である。
【図４】図４は、図３の状態の信号制御機を示す平面図である。
【図５】図５は、図２における模式的なＡ−Ａ線断面図である。
【図６】図６は、副扉が開いた状態の信号制御機を示し、また、開口部から見える手動操作ユニットを拡大して示す図である。
【図７】図７は、信号制御機の電気的な構成を示すブロック図である。
【図８】図８は、給電ケーブルが接続された信号制御機を示す。
【図９】図９は、第２の実施形態に係る信号制御機の、副扉が開いた状態を示す正面図である。
【図１０】図１０は、主扉の内部およびその内部に設けられた手動操作ユニットを拡大して示す正面図である。
【図１１】図１１は、主扉を内側から示す。
【発明を実施するための形態】
【００２１】
以下、図面を参照しながら、本発明の実施形態を説明する。
【００２２】
［第１の実施形態］
【００２３】
図１は、本発明の第１の実施形態に係る信号制御機が導入される交通用の信号機１を示す図である。信号機１は、例えば車両用および歩行者用の信号灯２と、これらの信号灯２を制御する信号制御機１００を備える。信号灯２および信号制御機１００は支柱３に取り付けられ、これらは電気ケーブルを介して接続される。
【００２４】
信号機１は交差点脇に複数設置されることがほとんどである。信号制御機１００は、交差点毎に１つまたは複数設置される。信号制御機１００は、人の手の届く高さ範囲、例えば１〜１．５ｍの高さ位置で支柱３に取り付けられる。
【００２５】
図２は、信号制御機１００を示す正面図である。図３は、その信号制御機１００の主扉および副扉が開いた状態を示す正面図を示し、また、後述する給電切替ユニット２００を拡大して示す図である。図４は、図３の状態の信号制御機１００を示す平面図である。
【００２６】
信号制御機１００は筐体１０１を備え、筐体１０１は、前面の開口を有する本体１０２と、その本体１０２に開閉可能に設けられた主扉１０３とを備える。また、主扉１０３の所定位置には開口部１０３Ａが設けられ、副扉１０８がその開口部１０３Ａを開閉可能に主扉１０３に接続されている。主扉１０３は、ヒンジ１０４により開閉可能に本体１０２に接続され、同様に、副扉１０８もヒンジ１０９により開閉可能に主扉１０３に接続されている。図２に示すように、主扉１０３および副扉１０８にはそれぞれ施錠部１０５および１０７が設けられ、主扉１０３は本体１０２に対して、また、副扉１０８は主扉１０３に対して施錠可能となっている。
【００２７】
開口部１０３Ａには、後述するように手動操作ユニット１３０が配置される。開口部１０３Ａは、例えば主扉１０３の縦方向（高さ方向）において、中央より下部に設けられているが、この位置の設計は、筐体１０１内の各デバイスの配置に応じて、あるいは、利用者が操作しやすいと考える位置に応じて、適宜変更可能である。
【００２８】
図３に示すように、信号制御機１００は、制御ユニット１２０、給電切替ユニット２００、および手動操作ユニット１３０を備える。
【００２９】
制御ユニット１２０は、例えば本体１０２内の上部に収容され、基本的に、１つ以上の信号灯２における点灯および点滅の時間を制御する。制御ユニット１２０は、前面に操作パネル１２１（図３参照）を有し、利用者（例えば警察関係者等）は、例えばこの操作パネル１２１を操作することにより、上記点灯時間や点灯順序を設定し、およびそれらを変更することができる。制御ユニット１２０は、上記基本機能の他、点灯輝度の調整機能や、交通管制センターのコンピュータと通信可能な通信機能を備える場合もある。
【００３０】
図５は、図２における模式的なＡ−Ａ線断面図である。図６は、副扉１０８が開いた状態の信号制御機１００を示し、また、開口部１０３Ａから見える手動操作ユニット１３０を拡大して示す図である。
【００３１】
図５に示すように、手動操作ユニット１３０は、主扉１０３の開口部１０３Ａに臨むように主扉１０３の内側に設けられており、具体的には、開口部１０３Ａを主扉１０３の内側から塞ぐように設けられている。手動操作ユニット１３０は、主に、手動操作器１３２と、例えば災害時等の緊急時に外部電源に接続可能な端子部である外部給電端子部１３５と、これら手動操作器１３２および外部給電端子部１３５を支持する支持体としての支持板１３１とを有する。
【００３２】
外部給電端子部１３５は、規格化されたものが搭載され、例えば広く一般家庭にまで普及している電化製品用の端子部が搭載される。代表的な規格として、ＪＩＳ（Japanese Industrial Standards）では、C 8303などであり、ＩＥＣ（International Electrotechnical Commission）では、60884などである。このように規格化された外部給電端子部であれば、外部給電機能を有する市販の装置や汎用のプラグまたはソケットをこの外部給電端子部１３５に接続することができる。これにより、信号制御機１００への外部給電に利用できる装置の選択肢が増える。
【００３３】
図６に示すように、手動操作ユニット１３０には信号灯２の手動操作のＯＮ／ＯＦＦを切り替える操作スイッチ１３３が搭載されている。例えば災害時に停電が発生した場合、利用者がこの操作スイッチ１３３をＯＮとして手動に切り替え、手動操作器１３２を開口部１０３Ａから取り出して、この手動操作器１３２の操作ボタン１３２ａを操作することにより、信号灯２の点灯を手動で切り替えることができる。
【００３４】
外部給電端子部１３５および操作スイッチ１３３は、筐体１０１内から主扉１０３の開口部１０３Ａに臨むように、主扉１０３の内側で支持板１３１に支持されている。
【００３５】
図７は、この信号制御機１００の電気的な構成を示すブロック図である。信号制御機１００は、上記制御ユニット１２０、給電切替ユニット２００、手動操作ユニット１３０の他、ブレーカユニット１４０および電源ユニット１５０を備える。ブレーカユニット１４０は、商用電源Ｃ（からの電力供給ケーブル）と、第１の電力供給経路２７０との間に接続される。ブレーカユニット１４０は、商用電源Ｃから信号制御機１００への電力供給経路を開閉したり、その電力供給経路に流れる電流が規定値を超えた場合には、電力供給を遮断したりする。
【００３６】
商用電源Ｃからの電力は、第１の電力供給経路２７０を介して給電切替ユニット２００に接続されている。一方、図示しない外部電源からの電力は、第２の電力供給経路２８０を介して給電切替ユニット２００に接続されている。第１の電力供給経路２７０および第２の電力供給経路２８０は、具体的には電気ケーブルで構成される。
【００３７】
図３、７に示すように、給電切替ユニット２００は、手動操作による切り替えが可能な手動切替スイッチ２３０を有しており、この手動切替スイッチ２３０の各接点に、上記第１の電力供給経路２７０および第２の電力供給経路２８０がそれぞれ接続されている。手動切替スイッチ２３０により、これらの経路のうち一方が選択され、その電力は、電源ユニット１５０を介して制御ユニット１２０に供給される。
【００３８】
電源ユニット１５０は、商用電源Ｃまたは外部電源からの交流電力を直流電力に変換し、制御ユニット１２０に直流電力を供給する。
【００３９】
なお、図３に示すように、制御ユニット１２０の下部に、給電切替ユニット２００、ブレーカユニット１４０（図５参照）、その他の機器が配置される。これらのユニットが配置される箇所の前面には、図示しないヒンジ機構により開閉可能なカバーパネル１０６（図４参照）が必要に応じて設置されることがある。
【００４０】
図３、７に示すように、給電切替ユニット２００は、商用電源ランプ２４０および外部電源ランプ２５０を備える。各ランプ２４０、２５０は、例えば、ＬＥＤ（Light Emitting Diode）、全波整流器、平滑コンデンサ、抵抗等を含むデバイスである。商用電源ランプ２４０は、手動切替スイッチ２３０の切り替え位置に関わらず、商用電源Ｃから電力が供給されているときに点灯する。外部電源ランプ２５０は、手動切替スイッチ２３０の切り替え位置に関わらず、外部電源から電力が供給されているときに点灯する。
【００４１】
なお、図３に示すように、手動切替スイッチ２３０の切替位置に対応して「商用電源」、「外部電源」と記載された銘板２３１、２３２が、この給電切替ユニット２００の本体に取り付けられている。また、その手動切替スイッチ２３０の切替位置に対応して、商用電源ランプ２４０、外部電源ランプ２５０が配置され、それらを記載した銘板２４１、２４２が本体に取り付けられている。
【００４２】
図３に示すように、給電切替ユニット２００は、第１の電力供給経路２７０および第２の電力供給経路２８０等を形成するために、電気ケーブルを接続する端子台２１０を備えている。給電切替ユニット２００において、手動切替スイッチ２３０、端子台２１０、ランプ２４０、２５０等は、例えば箱状の支持部材２６０により一体的に支持される。
【００４３】
手動操作ユニット１３０と、本体１０２内の機器とを接続する図示しない電気ケーブルは、主に本体１０２と主扉１０３との接続部分やヒンジ１０４の近傍を通すようにして配線されている。
【００４４】
以上のように構成された信号制御機１００の使用方法を説明する。例えば、災害時に停電が発生した場合、利用者は、主扉１０３を開け、手動切替スイッチ２３０を第２の電力供給経路２８０に接続する。そして、副扉１０８を開け、図示しない外部電源に接続された給電ケーブル５０（図８参照）を、外部給電端子部１３５に接続することにより、信号制御機１００は、外部電源からの電力の供給を受けることができる。
【００４５】
このとき、主扉１０３を閉めることにより、図８に示すように、副扉１０８のみが開いた状態で、給電ケーブル５０が接続される状態とすることができる。これにより、外部給電中でも筐体１０１内の機器が例えば風雨や外気に長時間晒されたりすることを防止でき、防塵性、防水性を確保することができる。
【００４６】
なお、給電ケーブル５０の接続後、手動切替スイッチ２３０を第２の電力供給経路２８０に接続するようにしてもよい。
【００４７】
外部電源としては、典型的には、警察車両に搭載されたバッテリーや発電機であり、例えば給電可能型の電気自動車またはハイブリッド自動車に搭載されたバッテリー等である。もちろん、外部電源は車両に搭載される機器に限られないことは言うまでもない。
【００４８】
また、必要に応じて、利用者は、手動操作ユニット１３０の操作スイッチ１３３をＯＮとして、手動操作器１３２を操作することにより、信号灯２を手動で制御することができる。
【００４９】
外部電源から電力が供給され、外部電源ランプ２５０が点灯している場合であっても、停電から復帰した場合には、商用電源ランプ２４０が点灯する。これにより、利用者は、商用電源Ｃからの電力が供給可能であることを簡単に確認することができる。そうすれば、利用者は、その時点で手動切替スイッチ２３０を第１の電力供給経路２７０への接続に戻し、商用電源Ｃを使用することができる。
【００５０】
以上のように、本実施形態では、外部給電端子部１３５が、従来のように電源箱に設けられるのではなく、信号制御機１００の筐体１０１内に設けられているので、外部給電の作業性を高めることができる。すなわち、一般的に支柱３の高い位置に設置されている電源箱に、外部給電用のケーブルを接続する必要がなく、信号制御機１００の筐体１０１内の外部給電端子部１３５に給電ケーブルを接続すればよいので、作業性が向上し、迅速な対応が可能となる。
【００５１】
従来の電源箱は、地方自治体ごとに異なる特殊なコネクタを備え、利用者はそのコネクタに合う専用ケーブルを使用していたので、不便であった。これに対し本実施形態に係る信号制御機１００は、規格化された外部給電端子部１３５を備えるので、上述したように外部給電に利用できる装置の選択肢が増える。
【００５２】
また、上述したように、利用者は主扉１０３に設けられた副扉１０８を開けることにより、開口部１０３Ａを介して外部電源を外部給電端子部１３５に接続することができる。したがって、外部給電中でも主扉１０３を閉めた状態とすることができるので、筐体１０１内の機器が外部に露出されることを防止できる。
【００５３】
また、利用者の手動操作により電源が切り替えられる手動切替スイッチ２３０を用いるため、電磁スイッチのような複雑な機構が不要となる。
【００５４】
本実施形態では、手動操作ユニット１３０および給電切替ユニット２００を、既設の信号制御機１００に取り付け可能である。したがって、信号制御機１００そのものを交換する必要はなく、簡易かつ安価にこれらのユニットを信号制御機１００に導入可能である。なお、これら手動操作ユニット１３０や給電切替ユニット２００の、信号制御機１００への取り付け方法は、典型的には、支持板１３１としての板金やフレームを介してネジ止めによるものである。
【００５５】
［第２の実施形態］
【００５６】
次に、本発明の第２の実施形態を説明する。これ以降の説明では、上記第１の実施形態に係る信号制御機１００が含む部材や機能等について同様のものは説明を簡略化または省略し、異なる点を中心に説明する。
【００５７】
図９は、第２の実施形態に係る信号制御機３００の、副扉１０８が開いた状態を示す正面図である。図１０は、主扉１０３の内部およびその内部に設けられた手動操作ユニット３３０を拡大して示す正面図である。図１１は、主扉１０３を内側から示す。
【００５８】
本実施形態に係る手動操作ユニット３３０と、上記第１の実施形態に係る手動操作ユニット１３０との異なる点は、主に、手動操作ユニット３３０が、商用電源Ｃからの給電と外部給電とを切り替えるための手動切替スイッチ２３０を備える点である。
【００５９】
図１０に示すように、手動操作ユニット３３０は、手動操作器１３２と、手動操作のＯＮ／ＯＦＦを切り替える操作スイッチ１３３と、外部給電端子部１３５と、手動切替スイッチ２３０と、端子台３１０と、これらを一体的に支持する支持板１３１とを備える。図９に示すように、主に、手動操作器１３２、操作スイッチ１３３、外部給電端子部１３５、および手動切替スイッチ２３０は、開口部１０３Ａに臨むように配置されている。
【００６０】
この信号制御機３００の電気回路およびブロック構成は、実質的に図７に示したものと同様であり、異なる点は、本実施形態では、手動操作ユニット３３０内に給電切替ユニット２００（図２参照）のような機器が一体で設けられる点である。手動切替スイッチ２３０は、操作スイッチ１３３と対向するように支持板の側方に配置されるが、この配置はこれに限られず、支持板１３１の正面に配置されていてもよい。端子台３１０、操作スイッチ１３３、手動切替スイッチ２３０には、電気経路を形成するために電気ケーブルが接続される。
【００６１】
本実施形態では、上記実施形態と同様に、外部給電端子部１３５が、従来のように電源箱に設けられるのではなく、信号制御機３００の筐体１０１内に設けられているので、外部給電の作業性を高めることができる。
【００６２】
また、手動操作ユニット３３０に外部給電端子部１３５および手動切替スイッチ２３０が搭載されているので、利用者は、信号機１の手動操作時に副扉１０８を開けた場合、開口部１０３Ａを介して、手動切替スイッチ２３０を操作し、外部給電端子部１３５に外部電源を接続することができる。これにより主扉１０３を開けずとも、副扉１０８を開けることにより、図８に示したように外部給電が可能となり、外部給電の操作性を高めることができる。
【００６３】
［その他の実施形態］
【００６４】
本発明は、以上説明した実施形態に限定されず、他の種々の実施形態を実現することができる。
【００６５】
外部給電端子部１３５は、複数設けられていてもよい。これにより、信号制御機に複数の外部電源を接続することが可能となり、信号制御機に複数の外部電源からの外部給電を行うことができる。
【００６６】
上記各実施形態に係る信号制御機１００、３００は、手動操作ユニット１３０、３３０を備えていたが、これを備えていなくてもよい。手動操作ユニット１３０を備えないこのような信号制御機は、副扉１０８により開閉可能な開口部１０３Ａを有する主扉１０３を備え、外部給電端子部が当該開口部１０３Ａに臨むように筐体１０１内に配置されていればよい。これにより利用者は、主扉１０３を閉め、副扉１０８を開けた状態で、外部給電が可能となる。
【００６７】
この場合、少なくとも外部給電端子部および手動切替スイッチを支持する支持部材を備える外部給電ユニットが、主扉１０３の内側に設けられていてもよい。
あるいは、外部給電端子部のみが開口部１０３Ａに臨む位置に設けられ、手動切替スイッチは、外部給電端子部から離れた本体１０２内の位置に設けられていてもよい。
【００６８】
上記各実施形態に係る信号制御機１００では、手動操作ユニット１３０に少なくとも外部給電端子部１３５が搭載されていた。しかし、手動操作ユニットと外部給電端子部とが別体で、筐体１０１内に設けられていてもよい。この場合、手動操作ユニット用の第１の開口部と、外部給電端子部用の第２の開口部がそれぞれ主扉１０３に設けられ、それらを開閉する第１の副扉および第２の副扉それぞれ設けられていればよい。
【００６９】
上記各実施形態に係る操作スイッチ１３３および手動切替スイッチ２３０は、例えばトグルスイッチで構成されたが、これに限られず、タクトスイッチ、ディップスイッチ、またはその他の公知のスイッチであってもよい。
【００７０】
以上説明した各形態の特徴部分のうち、少なくとも２つの特徴部分を組み合わせることも可能である。
【符号の説明】
【００７１】
２…信号灯
１００、３００…信号制御機
１０１…筐体
１０２…本体
１０３…主扉
１０３Ａ…開口部
１０８…副扉
１２０…制御ユニット
１３０、３３０…手動操作ユニット
１３１…支持板
１３２…手動操作器
１３５…外部給電端子部
２００…給電切替ユニット
２３０…手動切替スイッチ
２４０…商用電源ランプ
２５０…外部電源ランプ
２７０…第１の電力供給経路
２８０…第２の電力供給経路
Ｃ…商用電源
【図１】
2015122025.tif 000003
【図２】
2015122025.tif 000004
【図３】
2015122025.tif 000005
【図４】
2015122025.tif 000006
【図５】
2015122025.tif 000007
【図６】
2015122025.tif 000008
【図７】
2015122025.tif 000009
【図８】
2015122025.tif 000010
【図９】
2015122025.tif 000011
【図１０】
2015122025.tif 000012
【図１１】
2015122025.tif 000013